(57)【要約】【課題】一方の受信系の受信電力レベルに比べ他方の受信系の受信電力レベルが著しく低下した場合でも、良好な受信品質が得られるようにする。【解決手段】受信機１２，２２と復調回路１４，２４との間にスイッチ１３，２３を設け、制御回路３０のダイバーシチ制御機能３１により、第１及び第２のアンテナ１１，２１による受信電力値をそれぞれ計算してその差を第１のしきい値Ｔｈ１と比較し、上記受信電力値の差が第１のしきい値Ｔｈ１より大きい場合に、受信電力値が小さい方のアンテナに対応するスイッチをオフ状態にして復調回路を受信機から切り離す。またこの復調回路が切り離された状態で、上記受信電力値の差を上記第１のしきい値Ｔｈ１より小さい第２のしきい値Ｔｈ２と比較し、上記受信電力値の差が第２のしきい値Ｔｈ２以下に減少した場合に、オフ状態になっているスイッチをオン状態に復帰させる。【選択図】図１
2006180087.tif 000002
【特許請求の範囲】
【請求項１】
第１のアンテナを有し、この第１のアンテナにより無線信号を受信してその受信信号を復調する第１の受信系と、
前記第１のアンテナから離間して配置される第２のアンテナを有し、この第２のアンテナにより前記無線信号を受信してその受信信号を復調する第２の受信系と、
前記第１の受信系により得られる復調信号と前記第２の受信系により得られる復調信号とを合成し、合成された復調信号を出力する合成回路と、
前記第１及び第２のアンテナによる受信電力をそれぞれ検出し、検出された各受信電力の差が第１のしきい値を超えた場合に、値の小さい側の受信電力に対応する受信系の復調信号が前記合成回路に入力されないように制御する制御回路と
を具備することを特徴とする無線受信装置。
【請求項２】
前記制御回路は、前記検出された各受信電力の差が前記第１のしきい値より小さい第２のしきい値以下に減少した場合に、値の小さい側の受信電力に対応する受信系の復調信号が前記合成回路に入力されるように制御することを特徴とする請求項１記載の無線受信装置。
【請求項３】
前記第１及び第２の受信系が、その受信信号レベルに応じて自系の受信利得を帰還制御する自動利得制御機能を備える場合に、
前記制御回路は、前記検出された各受信電力の差が第１のしきい値を超えてから前記第２のしきい値以下に減少するまでの期間に、値の小さい側の受信電力に対応する受信系の自動利得制御機能の動作状態を、前記受信電力の差が第１のしきい値を超える直前の動作状態に保持させることを特徴とする請求項２記載の無線受信装置。
【請求項４】
前記第１及び第２の受信系がそれぞれ、受信信号レベルに応じて自系の受信利得を帰還制御する自動利得制御機能を備える場合に、
前記制御回路は、前記第１及び第２のアンテナによる受信電力を、前記第１及び第２の受信系の受信信号レベルと前記自動利得制御機能による帰還制御信号レベルとをもとに計算することを特徴とする請求項１又は２記載の無線受信装置。
【発明の詳細な説明】
【技術分野】
【０００１】
この発明は、例えば地上波ディジタル放送信号を受信する無線受信装置に係わり、特にダイバーシチ受信機能を備えた無線受信装置に関する。
【背景技術】
【０００２】
放送信号を受信する無線受信装置には、合成方式のダイバーシチ受信機能を備えたものがある。このダイバーシチ受信機能は、例えば２系統のアンテナを相互に離間して設置し、放送信号をこれらのアンテナにより受信してその受信信号をそれぞれ復調する。そして、上記復調信号を最適比合成することにより、合成後の復調信号の信号対雑音比が最大となるようにするものである。
【０００３】
しかし、このような一般的なダイバーシチ受信をそのまま使用して地上波ディジタル放送信号を受信しようとすると、各アンテナの受信信号レベルが近接し、かつこれらの受信信号間に遅延時間差がある場合に、合成後の信号のビット誤り率がかえって増加するという問題が発生する。これは、遅延時間差による搬送波の位相ずれがあると、正相で合成される周波数ポイントと逆相で合成される周波数ポイントができ、正相で合成される周波数ポイントでは合成後のレベルは増大するが、逆相で合成される周波数ポイントでは互いの信号が打消し合ってしまい、これにより受信帯域内においてレベルの山、谷が生じて、合成しないときよりも失う情報が多くなるためである。
【０００４】
そこで、合成される複数の受信信号のレベルを検出して、最大のレベルの受信信号に対する他の受信信号のレベル差を検出し、このレベル差が規定値以内のばあいに他の受信信号を減衰させることにより、受信品質の劣化を回避する技術が提案されている。（例えば、特許文献１を参照。）。
【特許文献１】特開平１０−０７５３２５号公報
【発明の開示】
【発明が解決しようとする課題】
【０００５】
ところが、合成方式のダイバーシチ受信を使用する場合の受信品質の劣化は、上記した信号レベルが近接する受信信号間の遅延時間差の影響に止まらず、信号レベルが著しく低下した受信信号を合成することによっても発生する。このため、上記従来の提案技術では、信号レベルが近接する複数の受信信号間の遅延時間差の影響を低減することはできても、一方の受信信号に対し他方の受信信号のレベルが著しく低下した場合の受信品質の劣化を防止することができない。
【０００６】
この発明は上記事情に着目してなされたもので、その目的とするところは、一方の受信系の受信電力に対し他方の受信系の受信電力が著しく低下した場合でも、良好な受信品質が得られるようにした無線受信装置を提供することにある。
【課題を解決するための手段】
【０００７】
上記目的を達成するためにこの発明は、第１のアンテナにより無線信号を受信してその受信信号を復調する第１の受信系と、上記第１のアンテナから離間して配置される第２のアンテナにより上記無線信号を受信してその受信信号を復調する第２の受信系と、上記第１の受信系により得られる復調信号と上記第２の受信系により得られる復調信号とを合成してこの合成された復調信号を出力する合成回路とを備える無線受信装置にあって、新たなダイバーシチ制御回路を設ける。この制御回路により、上記第１及び第２のアンテナによる受信電力をそれぞれ検出して、この検出された各受信電力の差を第１のしきい値と比較する。そして、この比較の結果、上記検出された各受信電力の差が第１のしきい値を超えた場合に、値の小さい側の受信電力に対応する受信系の復調信号が上記合成回路に入力されないように制御するようにしたものである。
【０００８】
したがってこの発明によれば、例えばフェージングの影響により第２のアンテナによる受信電力が第１のアンテナによる受信電力より著しく低下すると、この第２のアンテナの受信系から合成回路への復調信号の入力が停止される。このため、合成回路では上記受信電力レベルが著しく低下した受信系の復調信号が合成対象から除外されることになり、これにより合成された復調信号の信号対雑音比の劣化を防止することができる。
【０００９】
またこの発明は、上記制御回路において、上記検出された各受信電力の差が第１のしきい値より小さく設定された第２のしきい値以下に減少した場合に、値の小さい側の受信電力に対応する受信系の復調信号が上記合成回路に入力されるように制御することも特徴とする。
【００１０】
このように構成すると、合成回路への復調信号の入力が停止されていた受信系の受信電力が回復し、この受信電力と他の受信系の受信電力との差が第２のしきい値以下に減少すると、上記受信電力が回復した受信系から合成回路への復調信号の入力が再開される。すなわち、２系統の受信系を同時に使用する通常のダイバーシチ受信動作に自動的に復帰する。
【００１１】
しかも、上記受信電力差の減少を判定する第２のしきい値を、受信電力差の増加を判定する第１のしきい値より小さい値に設定しているので、受信系の切り離しと復帰との間にヒステリシス特性を持たせることができる。このため、しきい値付近で受信系の切り離しと復帰が頻繁に繰り返される、いわゆるチャタリング動作を防止することができ、これにより安定な切り離し／復帰動作を実現できる。
【００１２】
さらにこの発明は、第１及び第２の受信系が、その復調信号レベルに応じて自系の受信信号利得を帰還制御する自動利得制御機能を備える場合に、制御回路において、上記検出された各受信電力の差が第１のしきい値を超えてから第２のしきい値以下に減少するまでの期間に、値の小さい側の受信電力に対応する受信系の自動利得制御機能の動作状態を、上記受信電力の差が第１のしきい値を超える直前の動作状態に保持させることも特徴とする。
【００１３】
このように構成すると次のような作用効果が奏せられる。すなわち、例えば受信系内の復調動作を停止することにより受信系から合成回路への復調信号の入力を停止するように受信系が構成されている場合には、復調動作が停止されると自動利得制御機能も動作停止状態となる。そこで、上記復調信号の入力停止期間において、自動利得制御機能を動作停止直前の状態に保持すると、受信系の受信動作が維持されて、これにより受信電力の回復監視を正確に行うことが可能となる。
【００１４】
さらにこの発明は、第１及び第２の受信系がそれぞれ、受信信号レベルに応じて自系の受信利得を帰還制御する自動利得制御機能を備える場合に、制御回路において、第１及び第２のアンテナによる受信電力を、第１及び第２の受信系の受信信号レベルと上記自動利得制御機能による帰還制御信号レベルとをもとに計算することも特徴とする。  
このように構成すると、自動利得制御機能が持つ応答遅延特性の影響を排除して受信電力値をより正確に計算することができ、これによりダイバーシチ切り離し／復帰タイミングの判定をより一層正確に行うことができる。
【発明の効果】
【００１５】
要するにこの発明では、第１及び第２のアンテナによる受信電力をそれぞれ検出して、この検出された各受信電力の差を第１のしきい値と比較して、この比較の結果、上記検出された各受信電力の差が第１のしきい値を超えた場合に、値の小さい側の受信電力に対応する受信系の復調信号が上記合成回路に入力されないように制御するようにしている。  
したがってこの発明によれば、一方の受信系の受信電力に対し他方の受信系の受信電力が著しく低下した場合でも、良好な受信品質を得ることが可能な無線受信装置を提供することができる。
【発明を実施するための最良の形態】
【００１６】
図１は、この発明に係わる無線受信装置の一実施形態を示す要部ブロック図である。この実施形態の無線受信装置は、２系統の受信系を使用して合成方式のダイバーシチ受信を行うものである。
【００１７】
図示しない送信局から送信された無線放送信号は、第１及び第２のアンテナにより受信される。これら第１及び第２のアンテナ１１，２１は相互に一定距離だけ離間して配置されている。この離間距離は無線放送信号の波長に応じて設定される。上記第１及び第２のアンテナ１１，２１により受信された無線放送信号はそれぞれ受信機１２，２２に入力される。
【００１８】
受信機１２，２２はそれぞれ、周波数シンセサイザを有する周波数変換器と、可変利得増幅器とを備える。周波数シンセサイザを有する周波数変換器では、ユーザにより指定されたチャネルの放送信号を上記受信された無線放送信号から選択する処理が行われる。上記選択されたチャネルの放送信号は、可変利得増幅器により増幅されたのち、復調回路１４，２４に入力される。
【００１９】
復調回路１４，２４はそれぞれ、上記入力された受信信号ＲＳ１，ＲＳ２を、システムで定められた変調方式に対応する復調方式により復調し、その復調信号ＲＤ１，ＲＤ２を合成回路１６に入力する。合成回路１６は、上記入力された復調信号ＲＤ１，ＲＤ２を位相を調停したのち合成し、合成された復調信号ＣＲＤを図示しないベースバンド処理回路に入力する。合成方式としては、例えば最適比合成方式が使用される。なお、復調回路１４，２４はそれぞれＬＳＩ化され、このうち復調回路１４には合成回路１６も併せて集積化される。ベースバンド処理回路では、復調信号の復号処理やディスプレイに表示するための再生処理等が行われる。
【００２０】
また上記復調回路１４，２４はそれぞれ自動利得制御回路（ＡＧＣ回路）を有する。ＡＧＣ回路は、入力された受信信号レベルに応じて当該受信信号レベルを一定値に保持するためのＡＧＣ信号ＡＧ１，ＡＧ２を出力する。このＡＧＣ信号ＡＧ１，ＡＧ２は、制御回路３０を経由して上記受信機１２，２２内の可変利得増幅器に供給される。可変利得増幅器は、上記ＡＧＣ信号ＡＧ１，ＡＧ２に応じて増幅利得を可変設定し、この設定された増幅利得に従い、上記選択されたチャネルの放送信号の受信信号レベルを可変制御する。
【００２１】
ところで、上記受信機１２，２２と復調回路１４，２４との間にはそれぞれスイッチ（ＳＷ）１３，２３が介挿してある。また、この実施形態の無線受信装置は、検波器１５，２５と、制御回路３０とを備えている。スイッチ（ＳＷ）１３，２３は例えば半導体スイッチからなり、制御回路３０から出力されるスイッチ制御信号ＳＣ１，ＳＣ２によりオン／オフ動作する。また検波器１５，２５はそれぞれ、上記受信機１２，２２から出力された受信信号ＲＳ１，ＲＳ２を検波し、これにより上記受信信号ＲＳ１，ＲＳ２の振幅レベルを表す信号ＲＬ１，ＲＬ２を出力する。
【００２２】
制御回路３０は例えばマイクロコンピュータを主制御部として備えたもので、この発明に係わる新たな制御機能としてダイバーシチ制御機能３１を有している。このダイバーシチ制御機能３１は、プログラムを上記マイクロコンピュータに実行させることにより実現される。
【００２３】
ダイバーシチ制御機能３１は、上記検波器１５，２５から出力される受信信号レベルを表す信号ＲＬ１，ＲＬ２と、上記復調回路１４，２４から出力されるＡＧＣ信号ＡＧ１，ＡＧ２とを取り込んで、第１及び第２のアンテナ１１，２１による受信電力値をそれぞれ計算する。そして、この計算された受信電力値の差を予め設定された第１のしきい値Ｔｈ１と比較する。この比較の結果、上記受信電力値の差が第１のしきい値Ｔｈ１より大きい場合に、受信電力値が小さい方のアンテナに対応するスイッチをオフして復調回路を受信機から切り離す。
【００２４】
またダイバーシチ制御機能３１は、復調回路が受信機から切り離された状態で、上記受信電力値の差を上記第１のしきい値Ｔｈ１より小さい値に設定された第２のしきい値Ｔｈ２と比較する。そして、この比較の結果、上記受信電力値の差が第２のしきい値Ｔｈ２以下に減少した場合に、オフ状態になっているスイッチをオン状態に復帰させて、上記復調回路を受信機に接続させる。  
さらにダイバーシチ制御機能３１は、復調回路が受信機から切り離されてから復帰するまでの期間に、受信機の可変利得増幅器に供給するＡＧＣ信号を、上記切り離しが行われる直前の値に保持する機能も有する。
【００２５】
次に、以上のように構成された装置のダイバーシチ切り離し／復帰動作を説明する。図２は制御回路３０によるダイバーシチ切り離し／復帰制御の手順と内容を示すフローチャートである。  
ダイバーシチの動作モードには、２つの受信系を使用して合成方式のダイバーシチ受信を行う第１の動作モードと、一方の受信系を切り離して他方の受信系のみで受信を行う第２の動作モードとがある。上記ダイバーシチの動作モードは状態フラグにより表される。例えば、第１の動作モードのときには状態フラグは“０”にセットされ、また第２の動作モードのときには状態フラグは“１”にセットされる。
【００２６】
さて、放送受信中に制御回路３０は、ステップ２ａで状態フラグを“０”にリセットしたのち、ステップ２ｂで検波器１５，２５から出力される受信信号レベルを示す信号ＲＬ１，ＲＬ２を取り込み、さらにステップ２ｃにより復調回路１４，２４から出力されるＡＧＣ信号ＡＧ１，ＡＧ２を取り込む。続いて、ステップ２ｄにおいて、上記取り込んだ信号ＲＬ１，ＲＬ２とＡＧＣ信号ＡＧ１，ＡＧ２とを対応するもの同士で乗算し、これにより第１及び第２のアンテナ２１による受信電力値ＲＰ１，ＲＰ２をそれぞれ計算する。そして、ステップ２ｅにおいて、上記計算された受信電力値ＲＰ１，ＲＰ２の差を計算する。
【００２７】
次に制御回路３０は、ステップ２ｆにおいて状態フラグを判定する。そして、状態フラグが“０”であれば、ステップ２ｇに移行してここで上記算出された受信電力値の差ＲＰＤを第１のしきい値Ｔｈ１と比較する。この比較の結果、受信電力値の差ＲＰＤが第１のしきい値Ｔｈ１以下であればステップ２ｂに戻り、上記ステップ２ｂからステップ２ｇまでの受信電力差の判定処理を繰り返し実行する。
【００２８】
これに対し、例えばフェージングの影響により一方のアンテナの受信電力が著しく低下し、これにより受信電力値の差ＲＰＤが第１のしきい値Ｔｈ１より大きくなったとする。この場合制御回路３０は、ステップ２ｈに移行して受信電力値の小さい方のアンテナに対応するＡＧＣ信号を制御回路３０において保持したのち、ステップ２ｉにより受信電力値の小さい方のアンテナに対応するスイッチに対しスイッチ制御信号を与えて当該スイッチをオフ状態にする。そして、ステップ２ｊにおいて状態フラグを“１”にセットする。
【００２９】
例えば、いま第２のアンテナの受信電力値が著しく低下して、第１のアンテナの受信電力値との差が第１のしきい値Ｔｈ１より大きくなったとすると、制御回路３０は受信電力値の小さい方の上記第２のアンテナに対応するＡＧＣ信号ＡＧ２を保持すると共に、スイッチ２３をオフ状態にする。このため、復調回路２４は受信機２２から切り離され、これにより復調回路２４から合成回路１６への復調信号の入力は停止される。したがって、以後合成回路１６から出力される復調信号ＣＲＤは、復調回路１４から出力される復調信号ＲＤ１のみが反映された信号となり、これにより復調信号ＣＲＤの信号対雑音比は維持される。
【００３０】
また、上記復調回路２４が受信機２２から切り離されている期間には、切り離しが行われる直前のＡＧＣ信号ＡＧ２が制御回路３０により保持されて受信機２２内の可変利得増幅器に供給される。このため、受信機２２は上記切り離しが行われる直前の条件で引き続き増幅動作することになる。この結果制御回路３０では、復調回路２４が無入力状態になってＡＧＣ回路が無効になっても、受信機２２の出力信号レベルをもとに引き続き受信電力値の監視が可能となる。
【００３１】
一方、上記復調回路２４が切り離されると、状態フラグが“１”にセットされるため、制御回路３０はステップ２ｋに移行してここで上記計算された受信電力値の差ＲＰＤを第２のしきい値Ｔｈ２と比較する。そして、この比較の結果、受信電力値の差ＲＰＤが第２のしきい値Ｔｈ２より依然として大きければステップ２ｂに戻り、上記ステップ２ｂからステップ２ｋまでの受信電力差の判定処理を繰り返し実行する。
【００３２】
これに対し、例えばフェージングの影響が軽減または解消されて、第２のアンテナ２１の受信電力レベルが回復し、これにより受信電力値の差ＲＰＤが第２のしきい値Ｔｈ２以下に減少したとする。この場合制御回路３０は、ステップ２ｋからステップ２ｍに移行し、ここで上記オフ状態になっているスイッチ２３に対しスイッチ制御信号ＳＣ２を与えて当該スイッチ２３をオン状態に復帰させる。またそれと共に、ステップ２ｎにより復調回路２４から受信機２２へのＡＧＣ信号ＡＧ２の供給を再開させる。
【００３３】
したがって、受信機２２と復調回路２４との間は再び接続され、かつ当該復調回路２４から受信機２２へのＡＧＣ信号ＡＧ２の供給も再開され、これにより復調回路２４の復調信号が合成回路１６に入力される。このため、以後合成回路１６は切り離し前と同様に、復調回路１４，２４の各復調信号を最適比合成した復調信号ＣＲＤを出力する。
【００３４】
また、図３に示すように第２のしきい値Ｔｈ２は第１のしきい値Ｔｈ１より小さい値に設定されている。このため、復調回路の切り離しと復帰との条件間ではヒステリシス特性を持つことになり、これによりしきい値付近で復調回路の切り離しと復帰とが頻繁に繰り返される、いわゆるチャタリング動作の発生は防止される。
【００３５】
以上述べたようにこの実施形態では、受信機１２，２２と復調回路１４，２４との間にスイッチ１３，２３を設けると共に、制御回路３０にダイバーシチ制御機能３１を備える。そして、このダイバーシチ制御機能３１により、第１及び第２のアンテナ１１，２１による受信電力値をそれぞれ計算してその差を第１のしきい値Ｔｈ１と比較し、上記受信電力値の差が第１のしきい値Ｔｈ１より大きい場合に、受信電力値が小さい方のアンテナに対応するスイッチをオフ状態にして復調回路を受信機から切り離すようにしている。またこの復調回路が切り離された状態で、上記受信電力値の差を上記第１のしきい値Ｔｈ１より小さい値に設定された第２のしきい値Ｔｈ２と比較し、上記受信電力値の差が第２のしきい値Ｔｈ２以下に減少した場合に、オフ状態になっているスイッチをオン状態に復帰させて、上記復調回路を受信機に接続させるようにしている。
【００３６】
したがってこの実施形態によれば、例えばフェージングの影響により一方のアンテナの受信電力値が著しく低下して、アンテナ間の受信電力値の差が大きくなると、上記受信電力が著しく低下した側の復調回路が受信機から切り離されて、この復調回路から合成回路１６への復調信号の入力が停止される。このため、以後合成回路１６から出力される復調信号ＣＲＤは、復調回路１４から出力される復調信号ＲＤ１のみが反映された信号となり、これにより復調信号ＣＲＤの信号対雑音比を維持することができる。
【００３７】
また、復調回路２４が切り離された状態で、例えばフェージングの影響が解消されてアンテナの受信電力レベルが回復すれば、ダイバーシチ動作モードを自動的に通常の合成ダイバーシチ動作モードに復帰させることができる。
【００３８】
さらに、上記復調回路が受信機から切り離されてから復帰するまでの期間に、受信機１２，２２の可変利得増幅器に供給するＡＧＣ信号ＡＧ１，ＡＧ２を、上記切り離しが行われる直前の値に保持するようにしている。このため、先に述べたように復調回路１４，２４の切り離しタイミングの判定条件と復帰タイミングの判定条件との間にヒステリシス特性を持たせることができ、これによりしきい値付近で復調回路１４，２４の切り離しと復帰とが頻繁に繰り返される、いわゆるチャタリング動作の発生を防止して、ダイバーシチ動作モードの切り離し／復帰動作を安定に行うことができる。
【００３９】
さらに、前記実施形態ではアンテナ１１，２１による受信電力値を、受信機１２，２２から出力される受信信号のレベルと、ＡＧＣ回路から出力されるＡＧＣ信号とを乗算することにより計算している。このため、ＡＧＣ回路の応答遅延の影響を排除して受信電力値をより正確に計算することができる。
【００４０】
なお、この発明は上記実施形態に限定されるものではない。例えば、前記実施形態では受信機１２，２２と復調回路１４，２４との間にスイッチ１３，２３を介挿したが、復調回路１４，２４と合成回路１６とが別のＬＳＩにより構成されている場合には、スイッチ１３，２３を復調回路１４，２４と合成回路１６との間に介挿するようにしてもよい。
【００４１】
また無線受信装置としては、地上波ディジタル放送用の受信装置に限らず、アナログ放送や衛星放送用の受信装置、携帯電話機やＰＤＡ（Personal Digital Assistants）等の携帯通信端末であってもよい。その他、無線受信装置の構成やダイバーシチ切り離し／復帰制御の手順と内容、第１及び第２のしきい値Ｔｈ１，Ｔｈ２の値等についても、この発明の要旨を逸脱しない範囲で種々変形して実施できる。
【００４２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４３】
【図１】この発明に係わる無線受信装置の一実施形態を示す要部ブロック図。
【図２】図１に示す無線受信装置の制御回路によるダイバーシチ受信制御の手順と内容を示すフローチャート。
【図３】図１に示す無線受信装置における受信系の切り離し／復帰動作を説明するための図。
【符号の説明】
【００４４】
１１，２１…アンテナ、１２，２２…受信機、１３，２３…スイッチ（ＳＷ）、１４，２４…復調回路、１５，２５…検波器、１６…合成回路、３０…制御回路、ＲＳ１，ＲＳ２…受信信号、ＲＤ１，ＲＤ２…復調信号、ＣＲＤ…合成された復調信号、ＲＬ１，ＲＬ２…受信信号レベルを表す信号、ＡＧ１，ＡＧ２…ＡＧＣ信号、ＳＣ１，ＳＣ２…スイッチ制御信号、Ｔｈ１，Ｔｈ２…しきい値。
【図１】
2006180087.tif 000003
【図２】
2006180087.tif 000004
【図３】
2006180087.tif 000005